(57)【要約】【課題】室内に設置されている既存の換気扇を利用することにより、たばこ煙中の粒子状物質だけでなくガス状成分を十分に除去できるようにして、分煙効果をより高める。【解決手段】テーブル本体２０１に、静電式集塵方式により清浄化処理を行う捕集器２０５と、ファン２０６とが内蔵されている。テーブル本体２０１の側部にはダクト２０７が設けられ、ダクト２０７の端部開口と室内の天井に設置されている換気扇１との間に隙間２１７が形成される。ファン２０６が駆動すると、天板２０２の吸い込み口２０４から空間２１３内の空気を吸い込んで、捕集器２０５によりたばこ煙中の粒子状物質を捕集する。清浄化処理された空気の一部は調整板３１０により天井部２０８内のダクト部２０９に流れて吹き出し口２１１から吹き出し、残りが換気扇１に導かれる。【選択図】　　　図２
2004044821.tif 000002
【特許請求の範囲】
【請求項１】
ファンの駆動により吸い込み口から空気を吸い込んで清浄化処理する空気清浄装置であって、
前記清浄化処理された空気を室内に設置されている換気扇に導くダクトを備えたことを特徴とする空気清浄装置。
【請求項２】
前記換気扇に導かれる風量を前記換気扇の定格の換気風量以下とすることを特徴とする請求項１に記載の空気清浄装置。
【請求項３】
前記ダクトの端部開口が前記換気扇と間隔をおいて対向することを特徴とする請求項１又は２に記載の空気清浄装置。
【請求項４】
前記吸い込み口を含む空間を形成する仕切りを備えたことを特徴とする請求項１〜３のいずれか１項に記載の空気清浄装置。
【請求項５】
前記仕切りには人或いは人の一部が前記空間に入ることのできる開口が設けられていることを特徴とする請求項４に記載の空気清浄装置。
【請求項６】
前記開口を開閉するための開閉材を備えたことを特徴とする請求項５に記載の空気清浄装置。
【請求項７】
前記開閉材により前記開口が閉じられた状態においても前記空間と室内とが連通することを特徴とする請求項６に記載の空気清浄装置。
【請求項８】
前記空間内において、空気を吸い込む気流と、空気を吹き出す気流とからなるプッシュプル気流を発生させることを特徴とする請求項４〜７のいずれか１項に記載の空気清浄装置。
【請求項９】
前記清浄化処理された空気の一部が前記空間内に還流する構成として、前記空気を吹き出す気流を発生させることを特徴とする請求項８に記載の空気清浄装置。
【発明の詳細な説明】
【０００１】
【発明の属する技術分野】
本発明は、室内に設置されている既存の換気扇を利用する空気清浄装置に関する。
【０００２】
【従来の技術】
最近では分煙を実施する施設が増え、例えば喫煙コーナーにテーブル型等の空気清浄装置が設置されていることも多い。この種の空気清浄装置では、室内の空気を吸い込んで清浄化処理し、その清浄化処理した空気を室内に吹き出すようにされている。
【０００３】
【発明が解決しようとする課題】
ところで、最近になって報告された新しい分煙効果判定の基準（分煙効果判定基準策定検討会報告書）によれば、空気清浄装置による場合、
喫煙所と非喫煙所との境界において、
（１）デジタル粉じん計を用いて、経時的に浮遊粉じんの濃度の変化を測定し漏れ状態を確認する（非喫煙場所の粉塵濃度が喫煙によって増加しないこと）
（２）非喫煙場所から喫煙場所方向に一定の空気の流れ（０．２ｍ／ｓ以上）
（３）ガス状成分について適切な方法で濃度を測定し、喫煙所からの漏れ状態を確認する（現在、その手法は確立されていない）
ことが屋内における有効な分煙条件とされている。
【０００４】
また、喫煙所において、
（１）デジタル粉じん計を用いて時間平均浮遊粉塵濃度が０．１５ｍｇ／ｍ３以下
（２）検知管を用いて測定した一酸化炭素濃度が１０ｐｐｍ以下
（３）ガス状成分について適切な方法で濃度を測定し、その値が一定以下であること（現在、その手法は確立していない）
が屋内における有効な分煙条件とされている。
【０００５】
上記分煙効果判定基準策定検討会報告書では、分煙効果をより高め、かつその効果を評価するためのまとめとして、
１）屋内に設置されている現有の空気清浄装置は、環境たばこ煙中の粒子状物質の除去については有効な機器であるが、ガス状成分の除去については不十分であるため、その使用にあたっては、喫煙場所の換気に特段の配慮が必要である。
２）受動喫煙防止の観点からは、屋内に設置された喫煙場所の空気は屋外に排気する方法を推進することがもっとも有効である。
と提言されている。
【０００６】
本発明は上記の点に鑑みてなされたものであり、室内に設置されている既存の換気扇を利用することにより、たばこ煙中の粒子状物質だけでなくガス状成分を十分に除去できるようにして、分煙効果をより高めることを目的とする。
【０００７】
【課題を解決するための手段】
本発明の空気清浄装置は、ファンの駆動により吸い込み口から空気を吸い込んで清浄化処理する空気清浄装置であって、前記清浄化処理された空気を室内に設置されている換気扇に導くダクトを備えた点に特徴を有する。
【０００８】
また、本発明の空気清浄装置の他の特徴とするところは、前記換気扇に導かれる風量を前記換気扇の定格の換気風量以下とする点にある。
【０００９】
また、本発明の空気清浄装置の他の特徴とするところは、前記ダクトの端部開口が前記換気扇と間隔をおいて対向する点にある。
【００１０】
また、本発明の空気清浄装置の他の特徴とするところは、前記吸い込み口を含む空間を形成する仕切りを備えた点にある。
【００１１】
また、本発明の空気清浄装置の他の特徴とするところは、前記仕切りには人或いは人の一部が前記空間に入ることのできる開口が設けられている点にある。
【００１２】
また、本発明の空気清浄装置の他の特徴とするところは、前記開口を開閉するための開閉材を備えた点にある。
【００１３】
また、本発明の空気清浄装置の他の特徴とするところは、前記開閉材により前記開口が閉じられた状態においても前記空間と室内とが連通する点にある。
【００１４】
また、本発明の空気清浄装置の他の特徴とするところは、前記空間内において、空気を吸い込む気流と、空気を吹き出す気流とからなるプッシュプル気流を発生させる点にある。
【００１５】
また、本発明の空気清浄装置の他の特徴とするところは、前記清浄化処理された空気の一部が前記空間内に還流する構成として、前記空気を吹き出す気流を発生させる点にある。
【００１６】
【発明の実施の形態】
以下、図面を参照して、本発明の空気清浄装置の好適な実施形態について説明する。
【００１７】
（第１の実施形態）
図１は、第１の実施形態の空気清浄装置の概略構成を示す図である。同図に示すのはカウンターテーブル型の空気清浄装置であり、キャスタ１０３を有するテーブル本体１０１と、テーブル本体１０１上の天板１０２とを備えている。
【００１８】
天板１０２の中央には吸い込み口１０４が形成されている。また、テーブル本体１０１には、静電式集塵方式により清浄化処理を行うアイオナイザ（荷電部）及びコレクタ（集塵部）を持つ捕集器１０５と、ファン１０６とが内蔵されている。なお、本発明において捕集器の仕様は静電式集塵方式に限定されるものではなく、濾過捕集方式や静電濾過集塵方式などを用いることも可能である。またこれ以降の記載においても、静電式集塵方式での捕集器で説明をしてあるが、これらも同様である。
【００１９】
テーブル本体１０１の側部には、天井に向かって延出し、先端が開口するダクト１０７が設けられている。
【００２０】
このようにした空気清浄装置は、ダクト１０７の端部開口が室内の天井に設置されている換気扇１と間隔をおいて対向するように設置され、その間に隙間１０８が形成される。
【００２１】
本実施形態の空気清浄装置においては、ファン１０６が駆動すると、吸い込み口１０４から室内の空気を吸い込んで、捕集器１０５によりたばこ煙中の粒子状物質を捕集する。
【００２２】
ここで、通常の空気清浄装置では清浄化処理された空気が室内に吹き出す構成とされるが、本実施形態では清浄化処理された空気がダクト１０７を介して換気扇１に導かれて、換気扇１から屋外へと排気される。
【００２３】
この場合に、ダクト１０７を介して換気扇１に導かれる風量（清浄化処理された空気の風量）Ｑ１１が換気扇の換気風量Ｑ１２より大きいと（Ｑ１２＜Ｑ１１）、ダクト１０７内の空気を換気しきれずに、ダクト１０７内の空気が隙間１０８から室内に漏れてしまう。
【００２４】
また、ダクト１０７の端部を換気扇１に隙間なく接続すれば、ダクト１０７を介して換気扇１に導かれる風量Ｑ１１が換気扇の換気風量Ｑ１２より大きくても隙間１０８からの漏れはなくなるが、換気扇１に無理に押し込むことになり、天井裏でダクト（不図示）を介して連通する他の換気扇から吐き出されてしまうおそれがある。また、大掛かりな接続工事が必要となり、コストアップしてしまう。
【００２５】
本実施形態では、ダクト１０７の端部開口を換気扇１に間隔をおいて対向させるとともに、ダクト１０７を介して換気扇１に導かれる風量Ｑ１１が換気扇１の換気風量Ｑ１２以下（Ｑ１２≧Ｑ１１）となるようにする。このように設定することにより、ダクト１０７と換気扇１とを接続する工事が不要となるばかりでなく、ダクト１０７内の空気とともに隙間１０８から風量Ｑ１３（＝Ｑ１２−Ｑ１１）分の室内の空気が換気扇１に吸い込まれることになる。したがって、空気清浄装置をキャスタ１０３で自由に移動させて所望の換気扇１を利用することが可能となるとともに、ダクト１０７内の空気を室内に漏らすことなく屋外へと排気することができる。
【００２６】
以上述べた第１の実施形態の空気清浄装置によれば、室内に設置されている既存の換気扇１を利用することにより、環境たばこ煙中の粒子状物質だけでなく一酸化炭素等のガス状成分を十分に除去することができ、分煙効果をより高めることができる。
【００２７】
また、換気扇１により屋外へ排気される空気は、清浄化処理された空気、すなわちたばこ煙中の粒子状物質が除去された空気であるので、屋外での換気扇１周辺（換気扇からのダクトが大気中に排気される排気口付近も含む）の大気環境を汚染することも防止することができる。
【００２８】
（第２の実施形態）
図２は、第２の実施形態の空気清浄装置の外観を示す斜視図である。また、図３、４は、図２のＡ−Ａ線断面、Ｂ−Ｂ線断面における概略構成を示す図である。同図に示すのはカウンターテーブル型の空気清浄装置であり、キャスタ２０３を有するテーブル本体２０１と、テーブル本体２０１上の天板２０２とを備えている。
【００２９】
天板２０２の中央には吸い込み口２０４が形成されている。また、テーブル本体２０１には、静電式集塵方式により清浄化処理を行うアイオナイザ（荷電部）及びコレクタ（集塵部）を持つ捕集器２０５と、ファン２０６とが内蔵されている。
【００３０】
テーブル本体２０１の側部には、天井に向かって延出し、先端が開口するダクト２０７が設けられている。
【００３１】
天板２０２の上方には、天板２０２と同程度の大きさの天井部２０８が配設され、天井部２０８内にはダクト２０７に連通するダクト部２０９が形成されている。ダクト２０７とダクト部２０９との連通個所には風量を調整するための調整板２１０が設けられており、ファン２０６により送り出される空気の一部がダクト部２０９に流れて、天井部２０８の下面中央に形成された吹き出し口２１１から吹き出す構成とされている。
【００３２】
天板２０２と天井部２０８との間の周囲を囲むように透明な樹脂等からなる側面板２１２が設けられている。したがって、天板２０２、天井部２０８、側面板２１２が仕切りとなって、吸い込み口２０４を含む空間２１３が形成される。
【００３３】
側面板２１２のうち天板２０２の長辺に沿う面には、人が上半身を空間２１３に入れることのできる開口２１４がそれぞれ２つずつ形成されている。各開口２１４は天井部２０８から吊下げられたカーテン２１５により閉じられる。
【００３４】
天板２０２の長辺には開口２１４に対応する位置でカーブ形状の切り欠き２１６が形成されている。したがって、カーテン２１５により開口２１４が閉じられた状態においても、カーテン２１５と切り欠き２１６との隙間を介して空間２１３と室内とが連通する。
【００３５】
このようにした空気清浄装置は、ダクト２０７の端部開口が室内の天井に設置されている換気扇１と間隔をおいて対向するように設置され、その間に隙間２１７が形成される。
【００３６】
喫煙者は、図５に示すように、天板２０２の切り欠き２１６に身体を密着させるとともにカーテン２１５を背負うようにして開口２１４から空間２１３（喫煙エリア）に上半身を入れる。
【００３７】
本実施形態の空気清浄装置においては、ファン２０６が駆動すると、吸い込み口２０４から空間２１３内の空気を吸い込んで（風量Ｑ１）、捕集器２０５によりたばこ煙中の粒子状物質を捕集する。
【００３８】
清浄化処理された空気の一部は風量を調整するための調整板２１０により天井部２０８内のダクト部２０９に流れて吹き出し口２１１から吹き出し（風量Ｑ２）、残りが換気扇１に導かれる（風量Ｑ３）。
【００３９】
ここで、吹き出し口２１１から吹き出す風量Ｑ２が吸い込み口２０４から吸い込む風量Ｑ１より小さくなるようにする（Ｑ１＞Ｑ２）。このように、空間２１３内において、空気を吸い込む気流（風量Ｑ１）と、空気を吹き出す気流（風量Ｑ２）とからなるプッシュプル気流を発生させることにより、たばこ煙を効率よく吸い込み口２０４へと導くことができる。
【００４０】
一方、換気扇１に導かれる風量Ｑ３（＝Ｑ１−Ｑ２）は第１の実施形態でも述べたように換気扇１の換気風量Ｑ４以下（Ｑ４≧Ｑ３）となるようにして、ダクト２０７内の空気とともに隙間２１７から風量Ｑ５（＝Ｑ４−Ｑ３）分の室内の空気が換気扇１に吸い込まれるようにする。
【００４１】
また、空間２１３内の空気が吸い込まれることにより、空間２１３内が室内に比べて負圧となるので、室内の空気が、カーテン２１５と切り欠き２１６との隙間や、喫煙者がいるときは喫煙者と開口２１４との隙間から空間２１３内に流れ込み（風量Ｑ６）、非喫煙場所から喫煙場所方向に一定の空気の流れが発生する。
【００４２】
以上述べた第２の実施形態の空気清浄装置によれば、上記第１の実施形態と同様に、室内に設置されている既存の換気扇１を利用することにより、環境たばこ煙中の粒子状物質だけでなく一酸化炭素等のガス状成分を十分に除去することができ、分煙効果をより高めることができる。
【００４３】
また、換気扇１により屋外へ排気される空気は、たばこ煙中の粒子状物質が除去された空気であるので、屋外での換気扇１周辺（換気扇からのダクトが大気中に排気される排気口付近も含む）の大気環境を汚染することも防止することができる。
【００４４】
しかも、喫煙エリアとして吸い込み口２０４を含む空間２１３を形成するとともに、室内側から一定の空気の流れが発生するようにしたので、非喫煙場所の粉塵濃度や一酸化炭素濃度が喫煙によって増加することもない。
【００４５】
また、清浄化処理された空気の一部が空間２１３内に還流する構成としたので、上述したようにプッシュプル気流を発生させることができるだけでなく、空気清浄装置の吸い込み風量を自由に設定することができる。すなわち、一般的な換気扇１の排気風量は５［ｍ３／ｍｉｎ］程度であるが、上記第１の実施形態のように清浄化処理された空気の全量を換気扇１に導くようにすると、空気清浄装置の吸い込み風量Ｑ１１を５［ｍ３／ｍｉｎ］以下に設定しなければならない。それに対して、清浄化処理された空気の一部が空間２１３内に還流する構成とすることにより、換気扇１に導かれる風量Ｑ３を５［ｍ３／ｍｉｎ］以下とし、残りが還流するようにすればよいので、空気清浄装置の吸い込み風量Ｑ１を５［ｍ３／ｍｉｎ］より大きく設定することができる。
【００４６】
以下、第２の実施形態の空気清浄装置の各種変形例について説明する。図６に示す空気清浄装置は、天井部２０８に空間２１３内を照らすライト２１８を設けている。
【００４７】
図７に示す空気清浄装置は、開口２１４を扉２１９により開閉するようにしている。なお、扉２１９により開口２１４が閉じられた状態においても、扉２１９と切り欠き２１６との隙間を介して空間２１３と室内とが連通することは第２の実施形態と同様である。
【００４８】
図８に示す空気清浄装置は、天井部２０８の幅を狭くするとともに、透明な樹脂等からなる側面板２１２の上部に水平面２２０を一体形成し、これら天井部２０８と水平面２２０とが相まって空間２１３の天井を構成するようにしている。かかる構成とすることにより、室内の光を水平面２２０から空間２１３内に取り込むことができる。
【００４９】
図９に示す空気清浄装置は、天板２０２を幅の広くするとともに、長辺に形成するカーブ形状の切り欠き２１６を深くしている。上記第２の実施形態の空気清浄装置では、喫煙者はやや前屈みになって空間２１３に上半身を入れなければならないが、本実施形態のように切り欠き２１６を深くすることにより、喫煙者はまっすぐに立ったまま空間２１３に上半身を入れることができる。また、図８に示した例と同様に、側面板２１２の上部に一体形成された水平面２２０が天井部２０８と相まって空間２１３の天井を構成するようにして、室内の光を取り込むようにしている。
【００５０】
図１０、１１に示す空気清浄装置は、ダクト２０７の端部開口を側方に向けて、室内の天井でなく壁や窓に設置されている換気扇１を利用するようにしたものである。
【００５１】
（第３の実施形態）
図１２は、第３の実施形態の空気清浄装置の外観を示す斜視図である。また、図１３は、図１２のＤ−Ｄ線断面における概略構成を示す図である。同図に示す空気清浄装置は、左右一対の側面板３０１と、左右一対の側面板３０１の上部間に設けられた天井部３０２と、背面板３０３とを備え、所定の高さ位置にテーブル板３０４が設けられている。
【００５２】
空気清浄装置の背面には背面室３０５が設けられ、背面板３０３に背面室３０５に連通する吸い込み口３０６が形成されている。また、背面室３０５には、静電式集塵方式により清浄化処理を行うアイオナイザ（荷電部）及びコレクタ（集塵部）を持つ捕集器３０７と、ファン３０８とが内蔵されている。
【００５３】
背面室３０５の上部には、天井に向かって延出し、先端が開口するダクト３０９が設けられている。
【００５４】
天井部３０２内にはダクト３０９に連通するダクト部３１０が形成されている。ダクト３０９とダクト部３１０との連通個所には調整板３１１が設けられており、ファン３０８により送り出される空気の一部がダクト部３１０に流れて、天井部３０２の下面中央に形成された吹き出し口３１２から吹き出す構成とされている。
【００５５】
天井部３０２と側面板３０１とテーブル板３０４とに囲まれた開口には透明な樹脂等からなる前面板３１３が設けられている。したがって、天井部３０２、側面板３０１、テーブル板３０４、前面板３１３が仕切りとなって、吸い込み口３０６を含む空間３１４が形成される。
【００５６】
前面板３１３には、人が上半身を空間３１４に入れることのできる開口３１５が２つ形成されている。各開口３１５は天井部３０２から吊下げられたカーテン３１６により閉じられる。
【００５７】
テーブル板３０４には開口３１５に対応する位置でカーブ形状の切り欠き３１７が形成されている。したがって、カーテン３１６により開口３１５が閉じられた状態においても、カーテン３１６と切り欠き３１７との隙間を介して空間３１４と室内とが連通する。
【００５８】
このようにした空気清浄装置は、ダクト３０９の端部開口が室内の天井に設置されている換気扇１と間隔をおいて対向するように設置され、その間に隙間３１８が形成される。
【００５９】
喫煙者は、テーブル板３０４の切り欠き３１７に身体を密着させるとともにカーテン３１６を背負うようにして開口３１５から空間３１４（喫煙エリア）に上半身を入れる。切り欠き３１７が深いのであれば、喫煙者はまっすぐに立ったまま空間３１４に上半身を入れることができる。
【００６０】
本実施形態の空気清浄装置においても、ファン３０８が駆動すると、吸い込み口３０６から空間３１４内の空気を吸い込んで（風量Ｑ１）、捕集器３０７によりたばこ煙中の粒子状物質を捕集する。
【００６１】
清浄化処理された空気の一部は調整板３１１により天井部３０２内のダクト部３１０に流れて吹き出し口３１２から吹き出し（風量Ｑ２）、残りが換気扇１に導かれる（風量Ｑ３）。
【００６２】
ここで、吹き出し口３１２から吹き出す風量Ｑ２が吸い込み口３０６から吸い込む風量Ｑ１より小さくなるようにする（Ｑ１＞Ｑ２）。このように、空間３１４内において、空気を吸い込む気流（風量Ｑ１）と、空気を吹き出す気流（風量Ｑ２）とからなるプッシュプル気流を発生させることにより、たばこ煙を効率よく吸い込み口３０６へと導くことができる。
【００６３】
一方、換気扇１に導かれる風量Ｑ３（＝Ｑ１−Ｑ２）は換気扇１の換気風量Ｑ４以下（Ｑ４≧Ｑ３）となるようにして、ダクト３０９内の空気とともに隙間３１８から風量Ｑ５（＝Ｑ４−Ｑ３）分の室内の空気が換気扇１に吸い込まれるようにする。
【００６４】
また、空間３１４内の空気が吸い込まれることにより、空間３１４内が室内に比べて負圧となるので、室内の空気が、カーテン３１６と切り欠き３１７との隙間や、喫煙者がいるときは喫煙者と開口３１５との隙間から空間３１４内に流れ込み（風量Ｑ６）、非喫煙場所から喫煙場所方向に一定の空気の流れが発生する。
【００６５】
なお、第３の実施形態の空気清浄装置においても、空間３１４内を照らすライトを設けたり、開口３１５を扉により開閉するようにしたりしてもよい。
【００６６】
（第４の実施形態）
図１４は、第４の実施形態の空気清浄装置の外観を示す斜視図である。また、図１５、１６は、図１４のＥ−Ｅ線断面、Ｆ−Ｆ線断面における概略構成を示す図である。同図に示すのはカウンターテーブル型の空気清浄装置であり、キャスタ４０３を有するテーブル本体４０１と、テーブル本体４０１上の天板４０２とを備えている。
【００６７】
天板４０２の中央には吸い込み口４０４が形成されている。また、テーブル本体４０１には、静電式集塵方式により清浄化処理を行うアイオナイザ（荷電部）及びコレクタ（集塵部）を持つ捕集器４０５と、ファン４０６とが内蔵されている。
【００６８】
テーブル本体４０１の側部には、天井に向かって延出し、先端が開口するダクト４０７が設けられている。
【００６９】
また、テーブル本体４０１の両側部には天板４０２よりも幅の広い側面板４０８が設けられている。側面板４０８は、下辺がテーブル本体４０１の下辺と同程度の高さ位置となるように配置される。側面板４０８の上部には透明な樹脂等の板が嵌め込まれた窓４０９が形成されている。
【００７０】
左右一対の側面板４０８の上部間には天井部４１０が設けられている。したがって、側面板４０８、天井部４１０が仕切りとなって、吸い込み口４０４を含む空間４１１が形成される。天井部４１０内にはダクト４０７に連通するダクト部４１２が形成されている。ダクト４０７とダクト部４１２との連通個所には調整板４１３が設けられており、ファン４０６により送り出される空気の一部がダクト部４１２に流れて、天井部４１０の下面中央に形成された吹き出し口４１４から吹き出す構成とされている。
【００７１】
左右一対の側面板４０８間には開口４１５が形成され、各開口４１５は天井部４１０から吊下げられたカーテン４１６により閉じられる。カーテン４１６の丈は、下縁が側面板４０８の下辺すなわちテーブル本体４０１の下辺と同程度の高さ位置となるようにされている。したがって、カーテン４１６により開口４１５が閉じられた状態においても、カーテン４１６の下縁や側面板４０８の下辺と床面との間にキャスタ４０３分の隙間ができ、その隙間を介して空間４１１と室内とが連通する。
【００７２】
このようにした空気清浄装置は、ダクト４０７の端部開口が室内の天井に設置されている換気扇１と間隔をおいて対向するように設置され、その間に隙間４１７が形成される。
【００７３】
喫煙者は、図１６に示すように、カーテン４１６をめくって開口４１５から空間４１１（喫煙エリア）に入る。
【００７４】
本実施形態の空気清浄装置においても、ファン４０６が駆動すると、吸い込み口４０４から空間４１１内の空気を吸い込んで（風量Ｑ１）、捕集器４０５によりたばこ煙中の粒子状物質を捕集する。
【００７５】
清浄化処理された空気の一部は調整板４１３により天井部４１０内のダクト部４１２に流れて吹き出し口４１４から吹き出し（風量Ｑ２）、残りが換気扇１に導かれる（風量Ｑ３）。
【００７６】
ここで、吹き出し口４１４から吹き出す風量Ｑ２が吸い込み口４０４から吸い込む風量Ｑ１より小さくなるようにする（Ｑ１＞Ｑ２）。このように、空間４１１内において、空気を吸い込む気流（風量Ｑ１）と、空気を吹き出す気流（風量Ｑ２）とからなるプッシュプル気流を発生させることにより、たばこ煙を効率よく吸い込み口４０４へと導くことができる。
【００７７】
一方、換気扇１に導かれる風量Ｑ３（＝Ｑ１−Ｑ２）は換気扇１の換気風量Ｑ４以下（Ｑ４≧Ｑ３）となるようにして、ダクト４０７内の空気とともに隙間４１７から風量Ｑ５（＝Ｑ４−Ｑ３）分の室内の空気が換気扇１に吸い込まれるようにする。
【００７８】
また、空間４１１内の空気が吸い込まれることにより、空間４１１内が室内に比べて負圧となるので、室内の空気が、カーテン４１６の下縁や側面板４０８の下辺と床面との間に形成されるキャスタ４０３分の隙間から空間４１１内に流れ込み（風量Ｑ６）、非喫煙場所から喫煙場所方向に一定の空気の流れが発生する。
【００７９】
なお、第４の実施形態の空気清浄装置においても、空間４１１内を照らすライトを設けたり、開口４１５を扉により開閉するようにしたりしてもよい。また、図１７に示すのは、ローテーブル型の空気清浄装置とした例である。
【００８０】
（第５の実施形態）
図１８は、第５の実施形態の空気清浄装置の外観を示す斜視図である。また、図１９は、図１８のＧ−Ｇ線断面における概略構成を示す図である。同図に示すのはカウンターテーブル型の空気清浄装置であり、キャスタ５０３を有するテーブル本体５０１と、テーブル本体５０１上の天板５０２とを備えている。
【００８１】
テーブル本体５０１の両側部には、上方に延出するダクト５０４、５０５が設けられている。一方のダクト５０４は天井に向かってさらに延出し、先端が開口する。
【００８２】
また、テーブル本体５０１の両側部には天板５０２よりも幅の広い側面板５０６が設けられている。側面板５０６は、下辺がテーブル本体５０１の下辺と同じ高さ位置となるように配置される。側面板５０６の側部には透明な樹脂等の板が嵌め込まれた窓５０７が形成されている。
【００８３】
ダクト５０５には吸い込み口５０８が形成されている。また、テーブル本体５０１には、静電式集塵方式により清浄化処理を行うアイオナイザ（荷電部）及びコレクタ（集塵部）を持つ捕集器５０９と、ファン５１０とが内蔵されている。
【００８４】
ダクト５０４には吸い込み口５０９に対向する吹き出し口５１１が形成されている。ダクト５０４内には調整板５１２が設けられており、ファン５１０により送り出される空気の一部が吹き出し口５１１から吹き出す構成とされている。
【００８５】
左右一対の側面板５０６の上部間には天井板５１３が設けられている。したがって、側面板５０６、天井板５１３が仕切りとなって、吸い込み口５０８を含む空間５１４が形成される。
【００８６】
左右一対の側面板５０６間には開口５１５が形成され、各開口５１５は天井板５１３から吊下げられたカーテン５１６により閉じられる。カーテン５１６の丈は、下縁が側面板５０６の下辺すなわちテーブル本体５０１の下辺と同程度の高さ位置となるようにされている。したがって、カーテン５１６により開口５１５が閉じられた状態においても、カーテン５１６の下縁や側面板５０６の下辺と床面との間にキャスタ５０３分の隙間ができ、その隙間を介して空間５１４と室内とが連通する。
【００８７】
このようにした空気清浄装置は、ダクト５０４の端部開口が室内の天井に設置されている換気扇１と間隔をおいて対向するように設置され、その間に隙間５１７が形成される。
【００８８】
喫煙者は、カーテン５１６をめくって開口５１６から空間５１４（喫煙エリア）に入る。
【００８９】
本実施形態の空気清浄装置においても、ファン５１０が駆動すると、吸い込み口５０８から空間５１４内の空気を吸い込んで（風量Ｑ１）、捕集器５０９によりたばこ煙中の粒子状物質を捕集する。
【００９０】
清浄化処理された空気の一部は調整板５１２により吹き出し口５１１から吹き出し（風量Ｑ２）、残りが換気扇１に導かれる（風量Ｑ３）。
【００９１】
ここで、吹き出し口５１１から吹き出す風量Ｑ２が吸い込み口５０８から吸い込む風量Ｑ１より小さくなるようにする（Ｑ１＞Ｑ２）。このように、空間５１４内において、空気を吸い込む気流（風量Ｑ１）と、空気を吹き出す気流（風量Ｑ２）とからなるプッシュプル気流を発生させることにより、たばこ煙を効率よく吸い込み口５０８へと導くことができる。
【００９２】
一方、換気扇１に導かれる風量Ｑ３（＝Ｑ１−Ｑ２）は換気扇１の換気風量Ｑ４以下（Ｑ４≧Ｑ３）となるようにして、ダクト内の空気とともに隙間５１７から風量Ｑ５（＝Ｑ４−Ｑ３）分の室内の空気が換気扇１に吸い込まれるようにする。
【００９３】
また、空間５１４内の空気が吸い込まれることにより、空間５１４内が室内に比べて負圧となるので、室内の空気が、カーテン５１６の下縁や側面板５０６の下辺と床面との間に形成されるキャスタ５０３分の隙間から空間５１４内に流れ込み（風量Ｑ６）、非喫煙場所から喫煙場所方向に一定の空気の流れが発生する。
【００９４】
なお、第５の実施形態の空気清浄装置においても、空間５１４内を照らすライトを設けたり、開口５１５を扉により開閉するようにしたりしてもよい。
【００９５】
（第６の実施形態）
図２０は、第６の実施形態の空気清浄装置の外観を示す斜視図である。また、図２１は、図２０のＨ−Ｈ線断面における概略構成を示す図である。同図に示す空気清浄装置は、キャスタ６０７を有する底面６０２と、天井面６０３と、左右一対の側面６０４と、背面６０５と、前面６０６とを有する筐体６０１を備えている。
【００９６】
筐体６０１の前面６０６側には凹部６０８が形成され、凹部６０８内の下面６０９には吸い込み口６１２が形成されている。また、筐体６０１には、静電式集塵方式により清浄化処理を行うアイオナイザ（荷電部）及びコレクタ（集塵部）を持つ捕集器６１３と、ファン６１４とが内蔵されている。
【００９７】
筐体６０１内の両側部にはダクト６１５が構成され、一方のダクト６１５が天井に向かってさらに延出し、先端が開口する。
【００９８】
凹部６０８内の両側面６１０には吹き出し口６１６がそれぞれ形成されている。ダクト６１５内には調整板６１７が設けられており、ファン６１４により送り出される空気の一部が吹き出し口６１６から吹き出す構成とされている。なお、吹き出し口６１６には複数枚の方向制御板が設けられ、斜め下方すなわち吸い込み口６１２に向かって空気が吹き出す。
【００９９】
凹部６０８には透明な樹脂等からなる前面板６１８が設けられている。したがって、凹部６０８、前面板６１８が仕切りとなって、吸い込み口６１２を含む空間６１９が形成される。
【０１００】
前面板６１８には、人が上半身を空間６１９に入れることのできる開口６２０が２つ形成されている。各開口６２０は扉６２１により閉じられる。なお、扉６２１を閉じた状態でも開口６２０との間に隙間ができ、空間６１９と室内とが連通するようにされている。
【０１０１】
このようにした空気清浄装置は、ダクト６１５の端部開口が室内の天井に設置されている換気扇１と間隔をおいて対向するように設置され、その間に隙間６２２が形成される。
【０１０２】
喫煙者は、扉６２１を開いて開口６２０から空間６１９（喫煙エリア）に上半身を入れる。
【０１０３】
本実施形態の空気清浄装置においても、ファン６１４が駆動すると、吸い込み口６１２から空間６１９内の空気を吸い込んで（風量Ｑ１）、捕集器６１３によりたばこ煙中の粒子状物質を捕集する。
【０１０４】
清浄化処理された空気の一部は調整板６１７により吹き出し口６１６から吹き出し（風量Ｑ２）、残りが換気扇１に導かれる（風量Ｑ３）。
【０１０５】
ここで、吹き出し口６１６から吹き出す風量Ｑ２が吸い込み口６１２から吸い込む風量Ｑ１より小さくなるようにする（Ｑ１＞Ｑ２）。このように、空間６１９内において、空気を吸い込む気流（風量Ｑ１）と、空気を吹き出す気流（風量Ｑ２）とからなるプッシュプル的気流を発生させることにより、たばこ煙を効率よく吸い込み口６１２へと導くことができる。
【０１０６】
一方、換気扇１に導かれる風量Ｑ３（＝Ｑ１−Ｑ２）は換気扇１の換気風量Ｑ４以下（Ｑ４≧Ｑ３）となるようにして、ダクト６１５内の空気とともに隙間６２２から風量Ｑ５（＝Ｑ４−Ｑ３）分の室内の空気が換気扇１に吸い込まれるようにする。
【０１０７】
また、空間６１９内の空気が吸い込まれることにより、空間６１９内が室内に比べて負圧となるので、室内の空気が空間６１９内に流れ込み（風量Ｑ６）、非喫煙場所から喫煙場所方向に一定の空気の流れが発生する。
【０１０８】
なお、第６の実施形態の空気清浄装置においても、空間６１９内を照らすライトを設けたり、開口６２０をカーテンにより開閉するようにしたりしてもよい。
【０１０９】
（第７の実施形態）
図２２は、第７の実施形態の空気清浄装置の外観を示す斜視図である。また、図２３は、図２２のＩ−Ｉ線断面における概略構成を示す図である。同図に示す空気清浄装置は、４本の支柱７０１と、これら支柱７０１により支持される天井部７０２とを備え、各支柱７０１の外側を覆うようにコーナ板７０３が配設されている。
【０１１０】
天井部７０２の下面中央には吸い込み口７０４が形成されており、支柱７０１（コーナ板７０３）、天井部７０２が仕切りとなって、吸い込み口７０４を含む空間７０５が形成される。また、天井部７０２には、静電式集塵方式により清浄化処理を行うアイオナイザ（荷電部）及びコレクタ（集塵部）を持つ捕集器７０６と、ファン７０７とが内蔵されている。
【０１１１】
天井部７０２には、天井に向かって延出し、先端が開口するダクト７０８が設けられている。
【０１１２】
天井部７０２の下面周囲には吹き出し口７０９が形成されている。ダクト７０８と天井部７０２内部との連通個所には調整板７１０が設けられており、ファン７０７により送り出される空気の一部が吹き出し口７０９から吹き出す構成とされている。
【０１１３】
各支柱７０１間には開口７１１が形成され、各開口７１１は天井部７０２から吊下げられたカーテン７１２により閉じられる。カーテン７１２の丈は、下縁と床面との間に隙間ができる程度とされている。
【０１１４】
このようにした空気清浄装置は、ダクト７０８の端部開口が室内の天井に設置されている換気扇１と間隔をおいて対向するように設置され、その間に隙間７１３が形成される。
【０１１５】
喫煙者は、カーテン７１２をめくって開口７１１から空間７０５（喫煙エリア）に入る。
【０１１６】
本実施形態の空気清浄装置においても、ファン７０７が駆動すると、吸い込み口７０４から空間７０５内の空気を吸い込んで（風量Ｑ１）、捕集器７０６によりたばこ煙中の粒子状物質を捕集する。
【０１１７】
清浄化処理された空気の一部は調整板７１０により吹き出し口７０９から吹き出し（風量Ｑ２）、残りが換気扇１に導かれる（風量Ｑ３）。
【０１１８】
ここで、吹き出し口７０９から吹き出す風量Ｑ２が吸い込み口７０４から吸い込む風量Ｑ１より小さくなるようにする（Ｑ１＞Ｑ２）。このように、空間７０５内において、空気を吸い込む気流（風量Ｑ１）と、空気を吹き出す気流（風量Ｑ２）とからなるプッシュプル的気流を発生させることにより、たばこ煙を効率よく吸い込み口７０４へと導くことができる。
【０１１９】
一方、換気扇１に導かれる風量Ｑ３（＝Ｑ１−Ｑ２）は換気扇１の換気風量Ｑ４以下（Ｑ４≧Ｑ３）となるようにして、ダクト内の空気とともに隙間７１３から風量Ｑ５（＝Ｑ４−Ｑ３）分の室内の空気が換気扇１に吸い込まれるようにする。
【０１２０】
また、空間７０５内の空気が吸い込まれることにより、空間７０５内が室内に比べて負圧となるので、室内の空気が、カーテン７１２の下縁と床面との隙間から空間７０５内に流れ込み（風量Ｑ６）、非喫煙場所から喫煙場所方向に一定の空気の流れが発生する。
【０１２１】
なお、第７の実施形態の空気清浄装置においても、空間７０５内を照らすライトを設けたり、開口７１１を扉により開閉するようにしたりしてもよい。
【０１２２】
（第８の実施形態）
図２４は、第８の実施形態の空気清浄装置の外観を示す斜視図である。また、図２５は、図２４のＪ−Ｊ線断面における概略構成を示す図である。同図に示す空気清浄装置は、左右一対の側面板８０１と、左右の側面板８０１の上部間に設けられた天井部８０２と、背面板８０３とを備え、その内側にベンチ８０４が配設されている。
【０１２３】
天井部８０２の下面中央には吸い込み口８０５が形成されており、側面板８０１、天井部８０２、背面板８０３が仕切りとなって、吸い込み口８０５を含む空間８０６が形成される。また、天井部８０２には、静電式集塵方式により清浄化処理を行うアイオナイザ（荷電部）及びコレクタ（集塵部）を持つ捕集器８０７と、ファン８０８とが内蔵されている。
【０１２４】
天井部８０２には、天井に向かって延出し、先端が開口するダクト８０９が設けられている。
【０１２５】
また、天井部８０２及びダクト８０９と連通する連通室８１０が設けられ、連通室８１０に連通する吹き出し口８１１が形成されている。ダクト８０９と連通室８１０との連通個所には調整板８１２が設けられており、ファン８０８により送り出される空気の一部が吹き出し口８１１から吹き出す構成とされている。
【０１２６】
側面板８０１と天井部８０２とにより形成される開口８１３は天井部８０２から吊下げられたカーテン８１４により閉じられる。カーテン８１４の丈は、下縁と床面との間に隙間ができる程度とされている。
【０１２７】
このようにした空気清浄装置は、ダクト８０９の端部開口が室内の天井に設置されている換気扇１と間隔をおいて対向するように設置され、その間に隙間８１５が形成される。
【０１２８】
喫煙者は、カーテン８１４をめくって開口８１３から空間８０６（喫煙エリア）に入る。
【０１２９】
本実施形態の空気清浄装置においても、ファン８０８が駆動すると、吸い込み口８０５から空間８０６内の空気を吸い込んで（風量Ｑ１）、捕集器８０７によりたばこ煙中の粒子状物質を捕集する。
【０１３０】
清浄化処理された空気の一部は調整板８１２により吹き出し口８１１から吹き出し（風量Ｑ２）、残りが換気扇１に導かれる（風量Ｑ３）。
【０１３１】
ここで、吹き出し口８１１から吹き出す風量Ｑ２が吸い込み口８０５から吸い込む風量Ｑ１より小さくなるようにする（Ｑ１＞Ｑ２）。このように、空間８０６内において、空気を吸い込む気流（風量Ｑ１）と、空気を吹き出す気流（風量Ｑ２）とからなるプッシュプル的気流を発生させることにより、たばこ煙を効率よく吸い込み口８０５へと導くことができる。
【０１３２】
一方、換気扇１に導かれる風量Ｑ３（＝Ｑ１−Ｑ２）は換気扇１の換気風量Ｑ４以下（Ｑ４≧Ｑ３）となるようにして、ダクト内の空気とともに隙間８１５から風量Ｑ５（＝Ｑ４−Ｑ３）分の室内の空気が換気扇１に吸い込まれるようにする。
【０１３３】
また、空間８０６内の空気が吸い込まれることにより、空間８０６内が室内に比べて負圧となるので、室内の空気が、カーテン８１４の下縁と床面との隙間から空間８０６内に流れ込み（風量Ｑ６）、非喫煙場所から喫煙場所方向に一定の空気の流れが発生する。
【０１３４】
なお、第８の実施形態の空気清浄装置においても、空間８０６内を照らすライトを設けたり、開口８１３を扉により開閉するようにしたりしてもよい。
【０１３５】
以上、本発明を種々の実施形態とともに説明したが、本発明はこれらの実施形態にのみ限定されるものではなく、本発明の範囲内で変更等が可能である。
【０１３６】
【発明の効果】
以上述べたように本発明によれば、室内に設置されている既存の換気扇を利用することにより、環境たばこ煙中の粒子状物質だけでなく一酸化炭素等のガス状成分を十分に除去することができ、分煙効果をより高めることができる。
【０１３７】
また、換気扇により屋外へ排気される空気は、清浄化処理された空気であるので、屋外での換気扇周辺（換気扇からのダクトが大気中に排気される排気口付近も含む）の大気環境を汚染することも防止することができる。
【０１３８】
さらに、喫煙エリアとして吸い込み口を含む空間を形成し、さらには室内側から一定の空気の流れが発生する構成とすれば、非喫煙場所の粉塵濃度や一酸化炭素がが喫煙によって増加することもない。
【０１３９】
さらにまた、清浄化処理された空気の一部が空間内に還流する構成とすれば、プッシュプル気流を発生させることができるだけでなく、空気清浄装置の吸い込み風量の設定の自由度を高めることができる。
【図面の簡単な説明】
【図１】第１の実施形態の空気清浄装置の概略構成を示す図である。
【図２】第２の実施形態の空気清浄装置の外観を示す斜視図である。
【図３】図２のＡ−Ａ線断面における概略構成を示す図である。
【図４】図２のＢ−Ｂ線断面における概略構成を示す図である。
【図５】第２の実施形態の空気清浄装置の使用状態を示す図である。
【図６】第２の実施形態の空気清浄装置の変形例を示す図である。
【図７】第２の実施形態の空気清浄装置の変形例を示す図である。
【図８】第２の実施形態の空気清浄装置の変形例を示す図である。
【図９】第２の実施形態の空気清浄装置の変形例を示す図である。
【図１０】第２の実施形態の空気清浄装置の変形例を示す図である。
【図１１】図１０のＣ−Ｃ線断面における概略構成を示す図である。
【図１２】第３の実施形態の空気清浄装置の外観を示す斜視図である。
【図１３】図１２のＤ−Ｄ線断面における概略構成を示す図である。
【図１４】第４の実施形態の空気清浄装置の外観を示す斜視図である。
【図１５】図１４のＥ−Ｅ線断面における概略構成を示す図である。
【図１６】図１４のＦ−Ｆ線断面における概略構成を示す図である。
【図１７】第４の実施形態の空気清浄装置の変形例を示す図である。
【図１８】第５の実施形態の空気清浄装置の外観を示す斜視図である。
【図１９】図１８のＧ−Ｇ線断面における概略構成を示す図である。
【図２０】第６の実施形態の空気清浄装置の外観を示す斜視図である。
【図２１】図２０のＨ−Ｈ線断面における概略構成を示す図である。
【図２２】第７の実施形態の空気清浄装置の外観を示す斜視図である。
【図２３】図２２のＩ−Ｉ線断面における概略構成を示す図である。
【図２４】第８の実施形態の空気清浄装置の外観を示す斜視図である。
【図２５】図２４のＪ−Ｊ線断面における概略構成を示す図である。
【符号の説明】
１　換気扇
１０４、２０４、３０６、４０４、５０８、６１２、７０４、８０５　吸い込み口
１０５、２０５、３０７、４０５、５０９、６１３、７０６、８０７　捕集器
１０６、２０６、３０８、４０６、５１０、６１４、７０７、８０８　ファン
１０７、２０７、３０９、４０７、５０４、６１５、７０８、８０９　ダクト
２１１、３１２、４１４、５１１、６１６、７０９、８１１　吹き出し口
２１３、３１４、４１１、５１４、６１９、７０５、８０６　空間
２１４、３１５、４１５、５１５、６２０、７１１、８１３　開口
２１５、３１６、４１６、５１６、７１２、８１４　カーテン
２１９、６２１　扉
【図１】
2004044821.tif 000003
【図２】
2004044821.tif 000004
【図３】
2004044821.tif 000005
【図４】
2004044821.tif 000006
【図５】
2004044821.tif 000007
【図６】
2004044821.tif 000008
【図７】
2004044821.tif 000009
【図８】
2004044821.tif 000010
【図９】
2004044821.tif 000011
【図１０】
2004044821.tif 000012
【図１１】
2004044821.tif 000013
【図１２】
2004044821.tif 000014
【図１３】
2004044821.tif 000015
【図１４】
2004044821.tif 000016
【図１５】
2004044821.tif 000017
【図１６】
2004044821.tif 000018
【図１７】
2004044821.tif 000019
【図１８】
2004044821.tif 000020
【図１９】
2004044821.tif 000021
【図２０】
2004044821.tif 000022
【図２１】
2004044821.tif 000023
【図２２】
2004044821.tif 000024
【図２３】
2004044821.tif 000025
【図２４】
2004044821.tif 000026
【図２５】
2004044821.tif 000027